(57)【要約】【課題】所定の１種類の形状の浴槽ばかりではなく、他の形状の浴槽であっても、浴槽と浴室内壁との間隙処理用として使える目地材の提供。【解決手段】略水平に細長く厚手テープ状に延びる軟質樹脂製の頂部２と、その頂部２の幅方向の中央部か中央部よりも片側に偏った部位から垂下する略垂直平面状の硬質樹脂製の基部３とで構成される断面略Ｔ字状の、浴槽と浴室内壁との間隙を塞ぐための一体構成の長尺の目地材において、浴槽上縁側面に当接する側の基部３（片面）に、軟質樹脂製の水平縞状凹凸部７を長手方向に沿って付設する。【選択図】図５
2004357903.tif 000002
【特許請求の範囲】
【請求項１】
略水平に細長い軟質樹脂製の頂部と、
前記頂部の幅方向の中央部か中央部よりも片側に偏った部位から垂下する略垂直平面状の、先端に係合部を有する硬質樹脂製の基部とで構成される
断面略逆１字状の、浴槽と浴室内壁との間隙を塞ぐための一体構成の長尺の目地材であって、
前記基部のいずれの面にも、上向きヒレ部が長手方向に沿って付設されている目地材。
【請求項２】
略水平に細長い軟質樹脂製の頂部と、
前記頂部の幅方向の中央部か中央部よりも片側に偏った部位から垂下する略垂直平面状の硬質樹脂製の基部とで構成される
断面略Ｔ字状の、浴槽と浴室内壁との間隙を塞ぐための一体構成の長尺の目地材であって、
浴槽上縁側面に当接する側の基部に、軟質樹脂製の水平縞状凹凸部が長手方向に沿って付設されている目地材。
【請求項３】
水平縞状凹凸部よりも下の位置の基部両面に、軟質樹脂製の上向きヒレ部が長手方向に沿って各々付設され、
基部の先端部には硬質樹脂製の係合部が延設されている、請求項２の目地材。
【発明の詳細な説明】
【０００１】
【発明の属する技術分野】
本発明は、浴室の目地材に関し、更に詳しくは、浴室や浴室ユニットにおける浴槽と浴室内壁との間隙等を塞ぐために好適な浴室の目地材に関するものである。
【０００２】
【従来の技術】
浴室や浴室ユニットにおける浴槽と浴室内壁との間隙を塞ぐ方法としては、従来から、浴槽と浴室内壁との間隙にシリコン材などのコーキング材を用いて塞ぐ方法が知られている。
【０００３】
しかし、この方法は、施工に手間がかかる、充填後の養生期間が必要である、カビ等が生えて黒っぽく汚くなる等の問題もあるので、最近では、合成樹脂を材料にして成形・加工した目地材も提案されている（特許文献１参照）。
【０００４】
【特許文献１】
特開２００２−２９１６４２号公報
【０００５】
【発明が解決しようとする課題】
しかし、上記目地材は、目地材の垂下部が真っ直ぐではなく下部が浴槽側へ傾斜しているので、浴槽と浴室内壁との間隙に差し込みにくく作業しずらい。また、目地材の垂下部の長さを浴槽上縁のフランジ部長さにピッタリ合わせて、垂下部先端に設けた係合部を浴槽上縁フランジ部下端に引っ掛ける構造であるので、所定の形状の（１種類の）浴槽にしか対応できない難点がある。
本発明の一つの目的は、浴槽と浴室内壁との間隙に差し込みやすく、作業しやすい目地材を提供することである。また、本発明の別の目的は、所定の１種類の形状の浴槽ばかりではなく、他の形状の浴槽であっても、浴槽と浴室内壁との間隙処理用として使える目地材を提供することである。
【０００６】
【課題を解決するための手段】
上記課題を達成するために、本発明では、次の構成をとった。
すなわち、本発明（以下、第一発明ともいう）は、先ずは、略水平に細長く厚手テープ状に延びている軟質樹脂製の頂部（意匠部）２と、その頂部２の幅方向（奥行き方向）の中央部か中央部よりも片側に偏った部位から垂下する略垂直平面状の、先端部（下端部）に浴槽上縁フランジ部下端１２ａに引っ掛かる係合部４を有する硬質樹脂製の基部３とで構成される断面略逆１字状の、浴槽と浴室内壁との間隙を塞ぐための一体構成の長尺の目地材において、前記基部２のいずれの面にも、上向きヒレ部５（５ａ，５ｂ）及び上向きヒレ部６を長手方向に沿って、各々、付設したことを特徴とする浴室用目地材１である。
【０００７】
また、本発明は、次の発明（以下、第二発明ともいう）、すなわち、略水平に細長く厚手テープ状に延びている軟質樹脂製の頂部（意匠部）２と、その頂部２の幅方向の中央部か中央部よりも片側に偏った部位から垂下する略垂直平面状の硬質樹脂製の基部３とで構成される断面略Ｔ字状の、浴槽と浴室内壁との間隙を塞ぐための一体構成の長尺の目地材において、浴槽上縁側面に当接する側の基部３（片面）に、軟質樹脂製の水平縞状凹凸部７を長手方向に沿って付設したことを特徴とする目地材１４にも関する。
【０００８】
上記目地材１４において、水平縞状凹凸部７よりも下の位置の基部両面に、軟質樹脂製の上向きヒレ部５ａ及び上向きヒレ部６を、各々、長手方向に沿って付設し、基部３の先端部（下端部）には、浴槽上縁フランジ部下端１２ａに引っ掛ける硬質樹脂製の係合部４を延設することができる。
【０００９】
【発明の実施の形態】
以下、添付図面を参照しながら、本発明を更に具体的に説明する。
図１は、本発明（第一発明）に係る目地材の一例であり、図２は図１の縦断面図（Ａ）を拡大したものである。図１、図２に示すように、目地材１は、横に長い長尺物で、その縦断面形状は概ね「逆１の字」状（あるいは、「Ｊの字」状）である。すなわち、目地材１は、断面略一もしくはノの字（三日月状又はツルハシの先の金属部分状）の略水平な頂部２と、その頂部２の中央寄り（頂部２の中央部もしくはやや浴室内壁寄り）から下方へ垂下して先端には爪状の係合部４（浴槽上縁のフランジ下端１２ａに引っ掛ける）がある基部３とで成り、更には、基部３の浴槽側の面には上向きヒレ部５ａ，５ｂが付設され、その反対面（浴室内壁側）にも、上向きヒレ部６が付設されている。
【００１０】
目地材１の材質は、基部３とその下部先端の爪状の係合部４については硬質樹脂を用い、ハッチングで示した頂部２と、上向きのヒレ部５ａ、５ｂ及びその反対面の上向きのヒレ部６とについては、軟質樹脂を用いている。
硬質樹脂としては、ポリプロピレン（ＰＰ）、ポリエチレン（ＰＥ）、硬質ポリ塩化ビニル樹脂等の熱可塑性樹脂を用いることができ、軟質樹脂としては、軟質ポリ塩化ビニル樹脂、ポリオレフィン系エラストマー（ＴＰＯ）等の熱可塑性樹脂もしくは熱可塑性エラストマーを用いることができる。中でも、硬質樹脂がＰＰで、軟質樹脂がＴＰＯの組合せは、環境にやさしく、目地材と壁とが擦れても耳障りな音鳴りがしない、等の理由で好ましい。
上記材質の樹脂の押出し成形品（同時成形）を、必要に応じ、切断・加工して、目地材を製造する。
【００１１】
図３は本発明（第一発明）における目地材１の使用（打込み）を説明するための斜視図であり、図４はその使用（打込み）前後の断面図である。浴槽を載置・固定する三方の浴室壁には、予め浴槽（上縁フランジ部）を挟み込んでこれを固定するための挟持金具１３が取り付けられている。浴槽の上縁フランジ部を挟持金具１３で挟み込むようにして、浴槽を所定の位置に載置・固定したあと、浴槽の長辺側長さ及び短辺側長さに合わせて切断した目地材を、浴槽と浴室内壁との間隙に差し込み、これを打棒でほぼ真上から打ち込む。そうすると、目地材の先端の係合部４が、浴槽上縁のフランジ部下端１２ａで係合する。一旦係合すると、目地材は上方向へ浮き上がらない。また、目地材１の基部３の両面に形成した上向きヒレ部（浴槽側）５ａ、５ｂ及び上向きヒレ部（浴室内壁側）６は、浴槽フランジ部と浴室内壁とで挟まれて変形し、目地材１の基部３は、浴槽フランジ部と浴室内壁の両方から圧迫される形となり、水平方向（図４では左右方向）にも固定されるとともに、ヒレ部５ａ，５ｂと浴槽上縁（フランジ部）１２との間、及び、ヒレ部６と浴室内壁との間が密着し、その間に垂直方向の抵抗（摩擦）が生じ、これによっても目地材は浮き上がりにくく、また、止水効果もある。また、目地材１の頂部２は軟質樹脂でできているので、これが浴槽上縁及び浴室内壁に柔軟に密着し、間隙への水の侵入を防止する。
【００１２】
なお、長辺側目地材と短辺側目地材が突き当たるコーナー部では、平面視Ｌ字形のコーナーキャップ（図示せず）を差し込み、間隙部を体裁良く埋めて止水することができる。コーナーキャップを使わないで、長辺側目地材と短辺側目地材とが重なる一方の頂部（軟質樹脂製）を他方の頂部に重ねて止水することもできる。
また、浴槽手前側（洗場側）では、浴槽上縁面の曲がり（アール）形状に合わせて端部をアール状に加工した目地材（図示せず）を用いれば浴槽手前側（洗場側）の間隙部も体裁良く止水できる。
【００１３】
図５は、第二発明に係る目地材１４の例である。浴槽上縁側面に当接する側で、係合部４が突き出る側の基部３（片面）に、ヒレ部５ｂを設ける代わりに、軟質樹脂製の水平縞状凹凸部７を長手方向に沿って付設させている。水平縞状凹凸部７の断面形状は、浴槽上縁側面と突き当たったときに、抵抗（摩擦）が大きくなるような形状、例えば、図５や図６に示す、水平方向に長い山及び谷が垂直方向で繰り返す構造（横縞状）が好ましい。
【００１４】
図７は、上記第二発明の目地材１４が、２種類（イ、ロ）の浴槽で対応できることを説明する図（断面図）である。
目地材１４の係合部４に引っ掛かる適当な部位が、浴槽上縁１１のフランジ部に存在しない浴槽を浴室に据える場合の、浴槽と浴室内壁との間隙に第二発明の目地材１４を打ち込んだ場合は、水平縞状凹凸部７が付いた部位の基部３が、浴槽上縁（フランジ部）と浴室内壁の両方から押されるように圧迫され、水平縞状凹凸部７と浴槽上縁側面部との間に抵抗（摩擦）が生じ、それによって目地材１４の浮き上りを阻止し、また、止水効果もある（図７（ロ）参照）。
【００１５】
目地材１４の係合部４に引っ掛かる適当な部位が、浴槽上縁１１のフランジ部に存在する浴槽を浴室に据える場合の、浴槽と浴室内壁との間隙の処理及び作用は、上記第一発明の目地材１の場合とほぼ同様である（図７（イ）参照）。
【００１６】
【発明の効果】
本発明の第一発明に係る目地材は、その基部が頂部から真っ直ぐ下方へ垂下しているので、間隙に差し込みやすく、作業しやすい。
本発明の第二発明に係る目地材は、基部下端部の係合部に引っ掛かる適当な部位が浴槽（上縁フランジ部）側に存在する浴槽に対して使えるばかりでなく、基部下端部の係合部に引っ掛かる適当な部位がない他の形状の浴槽に対しても、浴槽と浴室内壁との間隙処理用として使える。
また、本発明に係る目地材（第一発明及び第二発明いずれも）は、いずれも乾式であるので、必要なときに直ぐに使うことができる。また、（シリコンコーキング材のようには）頂部が凹まないので、水が溜まりにくく、汚れにくく、例え汚れたとしても拭き取りやすい。作業に熟練していなくとも、簡単に間隙を処理することができ、意匠性も高い。また、浴槽の色に合わせて、頂部の色も変えやすい。
【図面の簡単な説明】
【図１】第一発明の目地材の縦断面図（Ａ）と正面図（Ｂ）。
【図２】図１の縦断面図（Ａ）の拡大図。斜線部は軟質樹脂製、その他は硬質樹脂製を示す。
【図３】目地材の使用（打込み）を説明する斜視図。
【図４】目地材の使用（打込み）前後を説明する断面図。
【図５】第二発明の目地材の縦断面図（拡大図）。斜線部は軟質樹脂製、その他は硬質樹脂製を示す。
【図６】３例（Ａ、Ｂ、Ｃ）の水平縞状凹凸部の断面形状。
【図７】第二発明の目地材が、２種類（イ、ロ）の浴槽に対応できることを説明する断面図。
【符号の説明】
１：目地材        ２：頂部（意匠部）
３：基部    ４：（基部下端の）係合部
５，５ａ，５ｂ：上向きヒレ部（浴槽側）
６：上向きヒレ部（浴室内壁側）
７：横縞状凹凸部
１０：浴槽      １１：浴槽上縁（面）
１２：（浴槽上縁の）フランジ部
１２ａ：フランジ部下端
１３：浴槽挟持金具      １４：目地材
【図１】
2004357903.tif 000003
【図２】
2004357903.tif 000004
【図３】
2004357903.tif 000005
【図４】
2004357903.tif 000006
【図５】
2004357903.tif 000007
【図６】
2004357903.tif 000008
【図７】
2004357903.tif 000009